【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
シャフトと、
前記シャフトの軸方向に移動可能に設けられ、シャッターを巻き取る２つのプーリと、
前記２つのプーリを連結するリンク棒と、を備えたシャッター巻取装置。
【請求項２】
請求項１記載のシャッター巻取装置において、
前記リンク棒が、長手方向に伸縮可能となっているシャッター巻取装置。
【請求項３】
請求項２記載のシャッター巻取装置において、
前記２つのプーリの移動を制限するストッパーを更に備えたシャッター巻取装置。
【請求項４】
請求項３記載のシャッター巻取装置において、
前記シャフトと前記２つのプーリーとの間に発生する摩擦力を低減するグリスを供給するグリス供給部を更に備えたシャッター巻取装置。
【請求項５】
シャッターと、
前記シャッターを巻き取るシャッター巻取装置と、を備え、
前記シャッター巻取装置が、シャフトと、
前記シャフトの軸方向に移動可能に設けられ、前記シャッターのスラットが取り付けられる２つのプーリと、
前記２つのプーリを連結するリンク棒と、を備えたシャッター装置。
【手続補正２】
【補正対象書類名】明細書
【補正対象項目名】全文
【補正方法】変更
【補正の内容】
【発明の詳細な説明】
【発明の名称】シャッター巻取装置及びシャッター装置
【技術分野】
【０００１】
本発明は、シャッター巻取装置及びシャッター装置に関する。
【背景技術】
【０００２】
以下、背景技術について説明する。
従来、シャッターの開閉時に、巻取体のシャフト軸が摺動摩耗で折損することがあった。取り替えにあたってはシャッターケース納まりなら取り換え工事は簡単であるが、店舗や天井納まりになると多大な出費になる場合が多く、部品代（シャフト一式）他、木工事、クロス、モルタル、および電気工事など、取り替えに際し障害となる工事も発生する。
不思議なもので、１件出ると後に数件続くのである。他の業者（主に取付専門、メーカ請負）に聞いても、何十件もあり、これがある時期に重なり、また何年か置きに起こっているのは、現場で施工している人達皆の周知の事実でもある。取り付け後、早いもので４〜５年で余分な出費が掛かっている。耐久性が無いね。なんとかならないのかと、これはまた顧客側の声でもある。
現象としては、スプリングが大きく湾曲して１００〜１５０ｍｍ延びる場合もあった。元に戻しても数日するとまた同じようになっている。また、プーリに取り付けられている吊り元も一緒に引っ張られ、さらに、吊り元に引っ張られてスラット本体も左右どちらかに極端に片寄る状態となり、そのため、ブラケットが擦すられて摩耗が進み、紙一枚の状態や、シャフトが摩耗しているのが見うけられる。このため、シャッターのスライド動作が重くなり、いろんな故障の原因になっていた。そこで、耐用年数が長い、長寿命シャッターが待望されていた。
【０００３】
図７は、従来のシャッター開閉装置に係る巻取体において、シャッターカーテンを巻取・繰出する巻取体を示す正面図である。
図７に示すように、巻取体１０４は、軸方向両端部が左右のブラケット１０５で回転不能に支持され、回転しない非回転軸となっている中心軸１２０と、中心部にこの中心軸１２０が貫通し、中心軸１２０の外周に軸方向に互いに離間して配置され、シャッターカーテン１０１の巻き取り、繰り出しのために中心軸１２０を中心に正逆回転自在である複数個の回転体１２２とを有している。
なお、中心軸１２０の外周におけるそれぞれの回転体１２２の配置位置と対応する位置には、巻芯部材１２７が配設されている。それぞれの回転体１２２には、シャッターカーテン１０１の上端部が連結されており、中心軸１２０を中心に正逆回転自在となっている。
これらの回転体１２２は、正逆回転のうちの一方への回転によってシャッターカーテン１０１を閉じる方向に移動させるためにこのシャッターカーテン１０１を繰り出す。また、他方への回転によってシャッターカーテン１０１を開く方向に移動させて、このシャッターカーテン１０１を巻き取るようになっている。
また、中心軸１２０の軸方向に互いに離間して配置されているこれら複数個の回転体１２２同士は、連結部材であるバー状部材１２３により連結されている。
また、パイプやフラットバー等からなるバー状部材１２３は、巻取体１０４の円周方向に等間隔で複数本、本実施形態に係るシャッター装置では３本設けられている。このシャッター開閉装置は、ゼンマイバネの巻き締め・巻き戻し時において、ゼンマイバネの板間摩擦の発生を抑制することができ、所定のゼンマイバネの戻しばね力を確保できるものである（特許文献１参照）。
【先行技術文献】
【特許文献】
【０００４】
【特許文献１】特開２００７−１８２７２５号公報
【発明の概要】
【発明が解決しようとする課題】
【０００５】
しかしながら、このシャッター開閉装置の巻取体は、ゼンマイバネの巻き締め・巻き戻し時において、ゼンマイバネの板間摩擦の発生を抑制するものである。
ところが、現在多くのシャッター装置ではシャフト自体の摩耗折損が多発しており、このシャッター装置の耐用年数を低下させる原因である、シャフト自体に装着された構成部品の摺動に起因する、シャフトの摩擦折損を防止できるものが求められていた。
本発明は、高寿命なシャッター巻取装置及びシャッター装置を提供することを目的とする。
【課題を解決するための手段】
【０００６】
前記目的に沿う第１の発明に係るシャッター巻取装置は、シャフトと、前記シャフトの軸方向に移動可能に設けられ、シャッターを巻き取る２つのプーリと、前記２つのプーリを連結するリンク棒と、を備える。
【０００７】
第１の発明に係るシャッター巻取装置において、前記リンク棒が、長手方向に伸縮可能となっていることが好ましい。
【０００８】
第１の発明に係るシャッター巻取装置において、前記２つのプーリの移動を制限するストッパーを更に備えることが好ましい。
【０００９】
第１の発明に係るシャッター巻取装置において、前記シャフトと前記２つのプーリーとの間に発生する摩擦力を低減するグリスを供給するグリス供給部を更に備えることが好ましい。
また、前記目的に沿う第２の発明に係るシャッター装置は、シャッターと、前記シャッターを巻き取るシャッター巻取装置と、を備え、前記シャッター巻取装置が、シャフトと、前記シャフトの軸方向に移動可能に設けられ、前記シャッターのスラットが取り付けられる２つのプーリと、前記２つのプーリを連結するリンク棒と、を備える。
【発明の効果】
【００１０】
本発明によれば、高寿命なシャッター巻取装置及びシャッター装置を提供できる。
【００１１】
【００１２】
【００１３】
【図面の簡単な説明】
【００１４】
【図１】本発明の実施形態に係るシャッター巻取繰出装置の概略図であり、（ａ）は正面断面端面図、（ｂ）は（ａ）に示すＡ部の拡大図、（ｃ）は（ａ）に示すＢ部の拡大図である。
【図２】本発明の実施形態に係るプーリおよびその周辺を示す概略図であり、（ａ）は正面断面図、（ｂ）は側面図である。
【図３】本発明の実施形態に係るプーリ摺動領域を説明する説明図であり、（ａ）は図１の（ｂ）に示すＤ部の拡大詳細図、（ｂ）はプーリが摺動した様子を示す説明図である。
【図４】本発明の実施形態に係るスラスト耐荷重構造を示す概略図であり、（ａ）はスラスト荷重を受ける様子を示す説明図、（ｂ）はスラストベアリングの概略図である。
【図５】本発明の実施形態に係るグリスカップ構造を示す概略図であり、（ａ）はプーリおよびグリスカップの正面断面図、（ｂ）は（ａ）に示すＥ矢視図である。
【図６】本発明の実施形態に係るシャッター巻取繰出装置の中間部プーリを示す概略図である。
【図７】従来の実施形態を示す概略図である。
【発明を実施するための形態】
【００１５】
以下、本発明の実施形態を図面を参照しながら詳細に説明する。
図１は、本発明の実施形態に係るシャッター巻取繰出装置の概略図であり、（ａ）は正面断面端面図、（ｂ）は（ａ）に示すＡ部の拡大図、（ｃ）は（ａ）に示すＢ部の拡大図である。
図１の（ａ）（ｂ）に示すように、シャッター巻取繰出装置１は、シャッター２の巻き取りおよび繰り出しのいずれかを行う際に、シャッター２を巻取・繰出する中心軸であるシャフト３に嵌着されて、このシャフト３に対して回転自在に設けられた少なくとも２つのプーリ４、４と、これら少なくとも２つのプーリ４、４の回転を互いに追随および同期させるように、少なくとも２つのプーリ４、４間に掛け渡された少なくとも１本のリンク棒５と、プーリ４、４がシャフト３の軸方向へ摺動するのを阻止するようにシャフト３に固定されたストッパー６、６と、このストッパー６の移動を阻止するようにシャフト３に固定されているストッパーピン９と、この一方のストッパー６と一方のプーリ４との間のシャフト３の周面上に設けられたプーリ摺動領域３ａと、同様に、他方のストッパー６と他方のプーリ４との間のシャフト３の周面上に設けられたプーリ摺動領域３ａとを備えている。
【００１６】
さらに、シャフト３には圧縮コイル式のスプリング７が伸縮自在に挿通されている。このスプリング７の一端はバネ端末固定具７ａによってシャフト３に固定され、他端はプーリ４の端部に当接している。
また、プーリ４のスプリング７側とは反対側にダンパー８としてのバネが挿通されている。このダンパー８の一方はプーリ４に当接し、他方はストッパー６に当接している。つまり、プーリ４とストッパー６との間に有って、それらの間隔を維持するように付勢している。これによって、スプリング７が引き伸ばされてプーリ４がダンパー８側に摺動して来ると、それを押し戻すようにダンパー８が働く。
そして、シャッター２は複数のスラット２ａ、２ａ・・を連結して構成されている。シャフト３は、両端がブラケット１０によって床面に対して水平に支持され、ブラケット１０は枠体１１に固定されている。枠体１１にはシャッターケース１２が取り付けられて、シャッター巻取繰出装置１の全体をカバーしている。
【００１７】
プーリ４には係止板１３が取り付けられている。この係止板１３はプーリ４の外周のほぼ４分の１を覆うように外周に沿って固定されている。この係止板１３は一端付近がボルト１３ａで固定されている。他端にはフック状のスラット係止爪１３ｂ（図２参照）が設けられ、スラットを吊り下げている。これによって、シャッター２の巻き取り、および繰り出しと同期して係止板１３はプーリ４と一緒に正逆回転する。
【００１８】
また、プーリ４のスプリング７側には、グリスカップ１４が設けられている。このグリスカップ１４には潤滑用のグリスが適量に充填されており、プーリ４とシャフト３との回転部を潤滑している。そのため、グリスカップ１４の中心孔１４ｂがシャフト３に密着して挿通されている。グリスカップ１４はボルト１４ｃによって、プーリ４に固定されている。
また、図１の（ｃ）に示すように、シャッター巻取繰出装置１において、リンク棒５は、互いに摺動可能な内筒５ａと外筒５ｂを備え、長手方向へ伸縮可能に形成されたリンク棒５であり、内筒５ａと外筒５ｂとが互いに摺動するスライド機構を形成している。外筒５ｂにはグリス注入孔５ｃが設けられている。
このように、プーリ間に掛け渡されたリンク棒が、互いに摺動可能な内筒と外筒によるスライド機構を備えたことによって、リンク棒の長手方向へ伸縮が可能となり、プーリ摺動領域を効果的にすることができる。
【００１９】
次に、図２は、本発明の実施形態に係るプーリおよびその周辺を示す概略図であり、（ａ）は正面断面図、（ｂ）は側面図である。
図３は、本発明の実施形態に係るプーリ摺動領域を説明する説明図であり、（ａ）は図１の（ｂ）に示すＤ部を拡大した詳細図、（ｂ）はプーリが摺動した様子を示す説明図である。
図２の（ａ）（ｂ）に示すように、プーリ４はシャフト３に回転自在に挿通されている。中心軸孔４ｂはプーリ４の取り付け孔である。このプーリ４には係止板１３がプーリ４の円周面上に固定されている。係止板１３の一端がボルト１３ａによって固定され、他端にはスラット係止爪１３ｂが設けられている。このスラット係止爪１３ｂにシャッター２の先端のスラット２ａを引っ掛けて回動移動させる。シャッター２が巻き取りまたは操り出し動作されると、それに連れてプーリ４が回転する。このプーリ４は、シャフト３の両端部に少なくとも２個設けられており、これらプーリ４、４にはリンク棒支持孔４ａ、４ａが設けられている。このリンク棒支持孔４ａ、４ａにリンク棒５が掛け渡されており、回転動作を互いに追随および同期させる。
【００２０】
図３の（ａ）に示すように、図１の（ｂ）に示すＤ部詳細説明図において、プーリ４に負荷が掛かる前は、スプリング７やダンパー８の弾性力は、プーリ４の左右で自然長の状態である。それが、図３の（ｂ）に示すように、スラット２ａが巻き取り方向または繰り出し方向へ回動すると、従来、プーリ４はストッパー６でシャフト軸方向の移動が規制されているのでシャフト３上を摺動することができずに、シャフト３はプーリ４による摩擦を繰り返し受けて破損に至ることがあった。しかしながら、プーリ摺動領域３ａを設けたことによって、プーリ４が図中左方向、すなわち図中矢印方向へ移動することができ、シャフト３の同じ箇所が摩耗することなく、摺動することで潤滑グリスも効果的に油膜を形成するため、シャフト３が破損に至ることがなくなった。このプーリ手動領域３ａは１０〜７０ｍｍとしたが、これに限定するものではなく適宜設定しても構わない。
このように、ストッパーとプーリとの間にプーリ摺動領域を設けることによって、従来、シャフトの一か所に集中していた摩耗を分散させて、破断を防止することができる。また、グリスが摺動領域に万遍なく刷り込まれるために摩耗をさらに低減することができる。
【００２１】
次に、図４は、本発明の実施形態に係るスラスト耐荷重構造を示す概略図であり、（ａ）はスラスト荷重を受ける様子を示す説明図、（ｂ）はスラストベアリングの概略図である。
図４の（ａ）（ｂ）に示すように、ストッパー６は、シャフト３に嵌着されており、このストッパー６と同軸で設けられてシャフト方向の荷重を支持するスラスト耐荷重機構を構成している。本発明の実施形態では、ストッパー６のスラスト耐荷重機構は、スラストベアリングを備えている。このように、スラストベアリングを備えたスラスト耐荷重機構によって、プーリ摺動領域３ａを移動するプーリ４の軸方向への荷重による捩れを回転力に変換することができ、シャフト３への捩じり応力を消失させ、さらに、シャフト３へのラジアル方向への負荷を低減することができる。
【００２２】
図５は、本発明の実施形態に係るグリスカップ構造を示す概略図であり、（ａ）はプーリおよびグリスカップの正面断面図、（ｂ）は（ａ）に示すＥ矢視図である。
図５の（ａ）（ｂ）に示すように、プーリ４の中心に設けられた中心軸孔４ｂとシャフト３の周縁とを含んで、グリスカップ１４で覆っている。このグリスカップ１４内には適量のグリス１４ａが充填されて、グリスカップ１４を備えたグリスカップ構造がプーリ４とシャフト３との摩擦を軽減するように設けられている。
このグリスカップ１４は、０．５ｍｍ厚のステンレス材で形成され、中心孔１４ｂ、ボルト孔１４ｃを備えている。ボルト孔の個数は４個としたが、グリスカップ１４のボルト孔の個数、材質、および板厚は特に限定するものではなく適宜設定して構わない。そして、シャフト３に中心孔１４ｂを通って装着されたグリスカップ１４は、プーリ４のフランジ部４ｃにグリス１４ａが漏れないようにしっかりと嵌着され、ボルト４ｄによって固定されている。
このように、グリスカップに充填されたグリスがプーリとシャフトとの間の摩擦を軽減するように潤滑して、長期間補給油をすることなく、シャッター巻取繰出装置を機能させることができる。
【００２３】
図６は、本発明の実施形態に係るシャッター巻取繰出装置の中間部プーリを示す概略図である。
図６に示すように、プーリ４を左右２個のプーリ４、４の中間にもう１個設けたシャッター巻取繰出装置１´である。中間にプーリ４を追加したこと以外には、図１に示すシャッター巻取繰出装置１と同様であり、同符号を付し、その説明を省略する。
【００２４】
【００２５】
以上、好ましい実施の形態を説明したが、本発明は前記実施の形態に限定されるものではなく、本発明の要旨を逸脱することの無い範囲内において適宜変更が可能なものである。例えば、ストッパーに設けられてスラストベアリングは、玉を用いたもので説明したが、ローラを用いたものでもその他のスラストベアリングであっても構わない。
【００２６】
【符号の説明】
【００２７】
１、１´  シャッター巻取繰出装置
２  シャッター
２ａ  スラット
３  シャフト
３ａ  プーリ摺動領域
４  プーリ
４ａ  リンク棒支持孔
４ｂ  中心軸孔
４ｃ  フランジ部
４ｄ  ボルト
５  リンク棒
５ａ  内筒
５ｂ  外筒
６  ストッパー、スラストベアリング
７  スプリング
７ａ  バネ端末固定具
８  ダンパー
９  ストッパーピン
１０  ブラケット
１１  枠体
１２  シャッターケース
１３  係止板
１３ａ  ボルト
１３ｂ  スラット係止爪
１４  グリスカップ
１４ａ  グリス
１４ｂ  中心孔
１４ｃ  ボルト孔